(57)【要約】【課題】前枠扉の開放時における球導出樋部からの球こぼれを防止し得る遊技機を提供する。【解決手段】本体枠５の球送出口３４から送出された遊技球を捕捉して上受皿１０の球導出口３３に案内する連通領域４６と、該連通領域４６の後方に連成された拡張領域４７とにより球導出樋部４０を構成する一方、前記球送出口３４の下部位置に、揺動区画部材５３を前後方向に沿って揺動可能に吊持し、該揺動区画部材５３を、前枠扉６の閉鎖状態で前記球導出樋部４０内に垂下する区画位置と、前枠扉６の開放時に前記球導出樋部４０との当接によって前方に回動して、前記拡張領域４７に遊技球を流入させる非区画位置とに変換可能に設けた。これにより、前枠扉６の開放操作に伴って揺動区画部材５３が非区画位置に変換され、連通領域４６内の遊技球が拡張領域４７に流入して、連通領域４６上に積み重なって滞留している遊技球のレベルを下げるので、前枠扉６の開放時における球こぼれを確実に防止することができる。【選択図】図７
2008006040.tif 000002
【特許請求の範囲】
【請求項１】
球送出口を備え、内蔵する払出装置から払い出された遊技球を前記球送出口から前方に送出する本体枠と、
該本体枠の前面に一側縁が枢結されて開閉可能に設けられ、その閉鎖状態で前記球送出口の下部前方に臨む位置に球導出口が開口された前枠扉と、
該前枠扉の前面側に配設されて前記球導出口から導出された遊技球を貯留する上受皿と、
前記球導出口から後方に突設され、前記前枠扉の閉鎖状態で前記球送出口と前記球導出口とを連通させて、遊技球を前記上受皿に導出する球導出樋部と
を備えた遊技機において、
前記球導出樋部が、前記球送出口から送出された遊技球を捕捉して前記球導出口に案内する連通領域と、該連通領域の後方に連成された拡張領域とからなる一方、
前記球送出口の下部位置に、上部が軸支されて、前後方向に沿って揺動可能に吊持され、前記前枠扉が閉鎖状態にある時に、前記球導出樋部内に垂下して該球導出樋部を前記連通領域と前記拡張領域とに区画する揺動区画部材を備えてなり、
該揺動区画部材が、前記前枠扉の閉鎖状態で前記球導出樋部内に垂下する区画位置と、前記前枠扉の開放時に前記球導出樋部との当接によって前方に回動し、前記拡張領域に遊技球を流入させる非区画位置とに変換されるものであることを特徴とする遊技機。
【請求項２】
前記揺動区画部材が、その前面に、非区画位置への変換に伴って前面で掬い上げた遊技球を側方に転動させて前記球導出樋部外に落下させる案内傾斜面を備えていることを特徴とする請求項１記載の遊技機。
【発明の詳細な説明】
【技術分野】
【０００１】
本発明は、前枠扉の開放時における球導出樋部からの球こぼれを防止し得るようにした遊技機に関する。
【背景技術】
【０００２】
一般に、遊技球を遊技媒体とし、上受皿を備えた前枠扉が本体枠の前面に配設された遊技機にあっては、該前枠扉の上受皿に払出装置から払い出された遊技球が貯留される。
【０００３】
このような遊技機は、図１０（Ａ）に示すように、内蔵する払出装置（図示省略）から払い出された遊技球を前方に送出する球送出口ｂが本体枠ａの前面に開口される一方、本体枠ａの前面に一側縁が枢結されて開閉可能に設けられた前枠扉ｃには、その閉鎖状態で前記球送出口ｂの下部前方に臨む位置に球導出口ｄが開口されている。また、該球導出口ｄには球導出樋部ｅが後方に向けて突設されており、前枠扉ｃの閉鎖状態で、該球導出樋部ｅを前方から球送出口ｂの直下位置に臨ませることによって該球送出口ｂと球導出口ｄとを連通させて、該球導出口ｄから遊技球を前枠扉ｃの前面側に配設された上受皿ｆに導出し得るように構成されている。
【０００４】
ところで、このような構成にあっては、上受皿ｆが遊技球で満杯となり、図１０（Ａ）に示すように、球導出口ｄから上受皿ｆへ導出しきれない遊技球が球導出樋部ｅ上に滞留している状態で前枠扉ｃが開放されると、図１０（Ｂ）に示すように、球導出樋部ｅ上の遊技球が機外にこぼれ落ちるという問題点があった。
【０００５】
従来、このような前枠扉ｃの開放時における球こぼれを防止するために、球導出樋部ｅの後端開口を遮蔽可能な開閉枠を設け、該開閉枠によって球導出樋部ｅの後端開口を、前枠扉ｃの開放時に遮蔽する一方、前枠扉ｃの閉鎖時に開放するようにしたもの（例えば、特許文献１参照）、或いは球導出口ｄ内に、前枠扉ｃの開放に伴って閉じるシャッタを設けたもの（例えば、特許文献２参照）が提案されている。
【特許文献１】実開昭６２−３６７８４号公報
【特許文献２】特開２００２−１１９７１８号公報（［００４７］，［００４８］、図４，図５）
【発明の開示】
【発明が解決しようとする課題】
【０００６】
上記のような先行技術において、特許文献１の構成にあっては、前枠扉ｃの開放時に、球導出樋部ｅの後端開口を遮蔽する開閉枠の上端より高い位置まで遊技球が滞留していると、その高い位置にある遊技球が開閉枠の上端を越えてこぼれ落ちるため、球こぼれを確実に防止することができなかった。また、特許文献２の構成は、シャッタが球導出口ｄ内で上下方向に回動するように設けられているため、球導出口ｄの開口領域がシャッタにより狭められて、遊技球が通過する球導出口ｄの十分な開口領域を確保することができなかった。
【０００７】
本発明は、かかる従来の実状に鑑みてなされたものであって、前枠扉の開放時における球導出樋部からの球こぼれを確実に防止し得るとともに、球導出口の十分な開口領域を確保し得る遊技機を提供することを目的とするものである。
【課題を解決するための手段】
【０００８】
本発明は、球送出口を備え、内蔵する払出装置から払い出された遊技球を前記球送出口から前方に送出する本体枠と、該本体枠の前面に一側縁が枢結されて開閉可能に設けられ、その閉鎖状態で前記球送出口の下部前方に臨む位置に球導出口が開口された前枠扉と、該前枠扉の前面側に配設されて前記球導出口から導出された遊技球を貯留する上受皿と、前記球導出口から後方に突設され、前記前枠扉の閉鎖状態で前記球送出口と前記球導出口とを連通させて、遊技球を前記上受皿に導出する球導出樋部とを備えた遊技機において、前記球導出樋部が、前記球送出口から送出された遊技球を捕捉して前記球導出口に案内する連通領域と、該連通領域の後方に連成された拡張領域とからなる一方、前記球送出口の下部位置に、上部が軸支されて、前後方向に沿って揺動可能に吊持され、前記前枠扉が閉鎖状態にある時に、前記球導出樋部内に垂下して該球導出樋部を前記連通領域と前記拡張領域とに区画する揺動区画部材を備えてなり、該揺動区画部材が、前記前枠扉の閉鎖状態で前記球導出樋部内に垂下する区画位置と、前記前枠扉の開放時に前記球導出樋部との当接によって前方に回動し、前記拡張領域に遊技球を流入させる非区画位置とに変換されるものであることを特徴とする遊技機である。
【０００９】
前記遊技機にあって、前記揺動区画部材が、その前面に、非区画位置への変換に伴って前面で掬い上げた遊技球を側方に転動させて前記球導出樋部外に落下させる案内傾斜面を備えている構成が提案される。
【００１０】
ここで、前記案内傾斜面は、揺動区画部材が前方回動して非区画位置へ変換された状態において、側方に下り勾配で傾斜する傾斜面として形成され得る。
【発明の効果】
【００１１】
本発明は、上述したように、球導出樋部が、球送出口から送出された遊技球を捕捉して球導出口に案内する連通領域と、該連通領域の後方に連成された拡張領域とからなる一方、球送出口の下部位置に、上部が軸支されて、前後方向に沿って揺動可能に吊持され、前枠扉が閉鎖状態にある時に、球導出樋部内に垂下して該球導出樋部を連通領域と拡張領域とに区画する揺動区画部材を備えてなり、該揺動区画部材が、前枠扉の閉鎖状態で球導出樋部内に垂下する区画位置と、前枠扉の開放時に球導出樋部との当接によって前方に回動し、拡張領域に遊技球を流入させる非区画位置とに変換されるようにした遊技機であるから、前枠扉の閉鎖状態においては、球導出樋部が、該球導出樋部内に垂下する揺動区画部材によって、球送出口から送出された遊技球を捕捉して球導出口に案内する連通領域と、該連通領域の後方で遊技球の捕捉作用を生じない拡張領域とに区画された状態となり、その連通領域を介して、本体枠の球送出口と前枠扉の球導出口とが連通されて、遊技球が上受皿に導出される。そして、このように上受皿に導出される遊技球で該上受皿が満杯となり、導出しきれない遊技球が連通領域上に滞留している状態で前枠扉が開放されると、その開放に伴って区画位置にある揺動区画部材が球導出樋部内において相対的に後方に移動するとともに、揺動区画部材に後方向から当接する球導出樋部の側周壁によって該揺動区画部材が押圧されて前方に回動することにより、該揺動区画部材が非区画位置に変換され、それまで揺動区画部材で堰き止められていた連通領域内の遊技球が拡張領域に流入する。これにより、連通領域上に積み重なって滞留していた遊技球のレベルが下がり、安定した滞留状態となることで、前枠扉の開放時に、遊技球が機外にこぼれ落ちることを確実に防止することができる。
【００１２】
また、上記のように、前枠扉の開放に伴って後方向から揺動区画部材に当接する球導出樋部の側周壁が、球送出口の下部位置を通過すると、該球導出樋部の側周壁との当接によって前方回動して非区画位置へ変換されていた揺動区画部材が垂下状態に復帰することとなるのであるが、この時、揺動区画部材の非区画位置への変換に伴って該揺動区画部材の前面で遊技球が掬い上げられていた場合には、該遊技球が揺動区画部材の垂下状態への復帰に伴って前方に落下する。ここで、この落下した遊技球は、球送出口の下方に設けられているファール球流下路を介して下受皿に排出されることとなる。これにより、球導出樋部内の遊技球数を減少させることができ、これによっても、前枠扉の開放時における機外への球こぼれを防止することができる。
【００１３】
また、上記のように、前枠扉の開放に伴って揺動区画部材の前面で遊技球を掬い上げて球導出樋部外へ排出する作用は、球導出樋部内における遊技球の滞留量が比較的多い場合に機能し易く、比較的少ない場合には機能し難くなっている。すなわち、揺動区画部材に球導出樋部の側周壁が後方向から当接するときに、遊技球が揺動区画部材の前面で掬い上げ可能な位置にある場合に限り機能する一方、滞留量が比較的少ない場合や、前枠扉の開放に伴い揺動区画部材が球導出樋部内において相対的に後方に移動しただけで充分に滞留レベルが下降した場合には殆ど機能しない。従って、前枠扉の開放時に、遊技球が機外にこぼれ落ちる虞が低い場合には機能しないので、球導出樋部内の遊技球数を不必要に減少させることがなく、球こぼれ防止が必要なときのみ機能させることができる。
【００１４】
また、球送出口の下部位置に、前後方向に沿って揺動可能に吊持されて、垂下状態で球導出樋部を連通領域と拡張領域とに区画する揺動区画部材を設けたので、該揺動区画部材によって球導出口の開口領域が狭められることがなく、これによって球導出口の十分な開口領域を確保することができる。
【００１５】
また、前記遊技機にあって、前記揺動区画部材が、その前面に、非区画位置への変換に伴って前面で掬い上げた遊技球を側方に転動させて前記球導出樋部外に落下させる案内傾斜面を備えている構成にあっては、揺動区画部材の非区画位置への変換に伴って該揺動区画部材の前面で遊技球が掬い上げられた場合に、その遊技球を案内傾斜面によって側方に転動させて即座に球導出樋部の外側方へ落下させることができる。これにより、上記のように、掬い上げられた遊技球を揺動区画部材の垂下状態への復帰に伴って前方に落下させる場合に比して、遊技球の落下タイミングが早くなるとともに、遊技球が球導出樋部に再び戻される虞がなく、掬い上げた遊技球を確実に球導出樋部外に排出させることが可能となる。
【発明を実施するための最良の形態】
【００１６】
以下に、本発明をパチンコ遊技機に適用した場合の第一実施例を、図１〜図８に基づいて説明する。
パチンコ遊技機１は、図１，図２に示すように、遊技島設備（図示省略）に固定される長方形状の外枠２と、該外枠２の前面開口部を覆う遊技機本体３とからなる。
【００１７】
遊技機本体３は、略平板状の本体枠５（図２参照）を備え、この本体枠５が前記外枠２にヒンジ部材４を介して枢着されている。この本体枠５の前面側には前枠扉６が開閉可能に配設されており、本体枠５の背面側には裏機構板７（図３参照）が配設されている。
【００１８】
前記本体枠５には、遊技盤９が配設されており、該遊技盤９の前面には、案内レール１３が湾曲状に設けられている。そして、この案内レール１３により区画された円形領域は、大入賞口や普通入賞口等を備えた各種入賞装置や遊技釘が配設された遊技領域１２となっている。
【００１９】
また、本体枠５には、遊技盤９の直下に、左上方に向けて傾斜する発射レール１６と発射槌６０（図８参照）とを備えた発射装置１５が配設されている。また、発射装置１５の前側には、発射レール１６の下端の球発射位置に遊技球を一個ずつ送り出す電動式の球送り機構を備えた整流器２０が配設されている。この整流器２０から送り出された遊技球は、発射レール１６の球発射位置に供給され、発射槌６０の打圧によって案内レール１３を介して遊技領域１２に打ち出される。ここで、発射レール１６の上端と案内レール１３の下端は、開口部２７を介して非連続状に連設されており、発射の失敗によって遊技領域１２に打ち出されずに案内レール１３を逆流するファール球が、前記開口部２７から下方に排出されるようになっている。
【００２０】
また、本体枠５の前面下部には、図１，２のように、下部パネル２３が配設されており、この下部パネル２３の前面中央に余剰の遊技球を貯留する下受皿１１が前方突成されている。この下受皿１１内には球放出口２４が開口しており、該球放出口２４から下受皿１１内に後述する球送出口３４から溢れた遊技球が放出される。また、下受皿１１の底部には遊技球排出用の球抜孔２５が形成されており、下受皿１１の底部に設けられた球抜スライダ２６を移動操作することにより前記球抜孔２５が開放され、下受皿１１の遊技球が下方へ排出される。
【００２１】
前記下部パネル２３には、下受皿１１の右側位置に発射ハンドル２８が突設されている。この発射ハンドル２８は、その外周部に回動操作可能な発射レバー２９を備えており、また、発射ハンドル２８の内部には、該発射レバー２９の回動角度を検知する回動角度検知センサ（図示省略）が配設されている。該回動角度検知センサは、前記発射装置１５や整流器２０の作動を制御する発射制御基板（図示省略）に接続されており、発射レバー２９の回動操作に伴って回動角度検知センサから発射制御基板に信号が入力されると、これに従って該発射制御基板は、整流器２０の球送り機構を作動させるとともに、発射装置１５を駆動制御し、整流器２０から球発射位置に送り出された遊技球が発射されるようになっている。
【００２２】
前記裏機構板７は、本体枠５の背面側に取り付けられている。該裏機構板７には、図３に示すように、その上部に球タンク１７が配設されており、図示しない遊技島設備の補給樋から可撓パイプを介して供給される遊技球を該球タンク１７内に受け入れ得るようになっている。また、裏機構板７には、球タンク１７の底壁に開口された球出口１８から放出される遊技球を受け入れて流下させる緩勾配で下方傾斜したタンクレール１９と、該タンクレール１９の下端部と連通して遊技球を下方の払出装置３１へ導く上下方向の球通路２１とが設けられている。また、裏機構板７には、前記払出装置３１から払い出される遊技球をさらに下方に導く二股状に分岐された払出し流路２２ａ，２２ｂが設けられており、その一方の払出し流路２２ａは本体枠５に開口された後述する球送出口３４と連通され、他方の払出し流路２２ｂは下受皿１１の前記球放出口２４と連通されている。これにより、前記払出装置３１から払い出された遊技球は、通常、払出し流路２２ａを介して球送出口３４に送られるが、大量の遊技球が払い出された場合に、球送出口３４から溢れた遊技球が払出し流路２２ｂを介して下受皿１１の球放出口２４に送られるようになっている。さらに、裏機構板７には、遊技作動全般を制御する主制御基板，前記払出装置３１の作動を制御する払出制御基板、前記発射装置１５の作動を制御する発射制御基板等の各種制御基板（何れも図示省略）が夫々配設されている。
【００２３】
また、前記本体枠５には、後述する上受皿１０の球導出口３３と連通可能な位置に球送出口３４（図５参照）が開口されている。該球送出口３４は前記払出し流路２２ａと連通しており、前記払出装置３１から払い出された遊技球を、払出し流路２２ａを介して前方に送出するようになっている。
【００２４】
また、前記前枠扉６は、その左側の一側縁がヒンジ部材３０（図２参照）によって本体枠５に枢結されて開閉可能に設けられている。ここで、前枠扉６は、前記下部パネル２３より上の本体枠５を略全体的に前面から覆い得る形状に形成されており、その閉鎖状態で、前記遊技盤９，発射装置１５，整流器２０を前方から覆うものとなっている。
【００２５】
この前枠扉６の中央には、透明板３６を備えた略円形の遊技窓部３７が形成されており、前枠扉６を閉鎖した状態で、該遊技窓部３７を介して、前記遊技盤９の遊技領域１２を前方から視認できるようになっている。
【００２６】
また、前枠扉６の前面下部には、図１に示すように、上受皿１０が配設されている。この上受皿１０には遊技球を整列する整列部３８が左右方向に沿って形成されており、該整列部３８の右端に、遊技球を取り込む球取込口３９が形成されている。また、上受皿１０の内底面は、遊技球が整列部３８を流下して球取込口３９へ流入するように右方向へ下方傾斜している。そして、前枠扉６の閉鎖状態で、球取込口３９から流入した遊技球が前記整流器２０に流入する。即ち、この上受皿１０は、前記発射装置１５へ送る遊技球を貯留するためのものである。
【００２７】
さらに、前枠扉６には、上受皿１０内の左側位置に、前枠扉６の厚み方向に貫通した球導出口３３が設けられている。該球導出口３３は、前枠扉６の閉鎖状態で、前記本体枠５の球送出口３４の下部前方に臨む位置に開口されており、該球導出口３３から導出される遊技球が上受皿１０に貯留される。
【００２８】
また、前枠扉６の裏面には、前枠扉６の閉鎖状態で、前記球送出口３４と球導出口３３とを連通させて、遊技球を前記上受皿１０に導出する球導出樋部４０が、球導出口３３から後方に向けて突設されている。この球導出樋部４０は本発明の要部にかかるものであり、詳しくは後述する。
【００２９】
また、図４に示すように、本体枠５の前部側には、前面に前記球導出樋部４０が挿通可能な挿通口４１（図８参照）を備えたケーシング部４２が設けられており、該挿通口４１には下縁を枢支された開閉板４３が起倒可能に配設されている。該開閉板４３は、図７（Ｃ）に示すように、前枠扉６が開放された状態にある時には、付勢バネ（図示省略）によって起立状態に保持されて球送出口３４の前方を遮蔽し、該球送出口３４から送出される遊技球の機外への飛び出しを防止するものであり、図７（Ａ）に示すように、前枠扉６が閉鎖された状態にある時には、前方から挿通される球導出樋部４０によって押圧されて後方に回動するようになっている。また、該開閉板４３と球送出口３４間の下方領域は、ケーシング部４２内で隣接するファール球流下路４４（図２，図８参照）の下部と連通されており、開閉板４３の裏面に衝突して落下する遊技球はファール球流下路４４を介して下受皿１１に排出される。
【００３０】
前記ケーシング部４２には、上述した案内レール１３の下端の開口部２７に下方から臨む位置にファール球流下路４４に連通する球流入口４５（図２参照）が開口されており、該球流入口４５から流入したファール球がファール球流下路４４を介して下受皿１１に排出される。
【００３１】
尚、前記ケーシング部４２は、本体枠５の一部をなすものであり、この実施例では別体形成したケーシング部４２を本体枠５に取付けるようにしているが、この構成に代えて、ケーシング部４２と本体枠５とを一体形成することも可能である。
【００３２】
次に、本発明の要部について説明する。
ケーシング部４２の後壁上部には、図５に示すように、前記払出し流路２２ａと連通する球導入口５０が開口されており、また、ケーシング部４２の内部には、該球導入口５０から前方に向けて若干下方傾斜した球導入流路５１が区画形成されている。該球導入流路５１は、ケーシング部４２の前後幅を略二等分する位置まで後壁側から延出されており、その前端に球送出口３４が開口されている。
【００３３】
前記球導入流路５１の下側には、前枠扉６の閉鎖時に、前記挿通口４１から挿通される球導出樋部４０の後端部を収容する樋収容部５２が区画形成されており、該樋収容部５２内の上方で前記球送出口３４の下部位置には、揺動区画部材５３が配設されている。該揺動区画部材５３は、図４（Ｂ）に示すように、正面視において横長矩形状を呈する主体部５４と、該主体部５４の上部側端から左右方向に突設された軸部５５ａ，５５ｂとからなり、該軸部５５ａ，５５ｂの先端部は、樋収容部５２を区画するケーシング部４２の左右側壁に形成された軸受孔５６，５６に挿通されている。そして、該軸部５５ａ，５５ｂによって上部が軸支された揺動区画部材５３が、球送出口３４の下部位置で前後方向に沿って揺動可能に吊持されている。
【００３４】
一方、前記球導出樋部４０は、図５に示すように、前記球送出口３４から送出された遊技球を捕捉して前記球導出口３３に案内する連通領域４６と、該連通領域４６の後方に連成された拡張領域４７とからなる。ここで、該球導出樋部４０は、図６に示すように、左右側縁部及び後縁部が側周壁４８によって囲繞された矩形箱状に形成されており、連通領域４６及び拡張領域４７の底板部４９には、図５に示すように、球導出口３３に向けて遊技球が転動し得るように前方に下方傾斜する適宜の勾配が設けられている。
【００３５】
そして、前枠扉６が閉鎖状態にある時に、図５に示すように、球送出口３４の下部位置で、球導出樋部４０内に垂下する前記揺動区画部材５３によって、球導出樋部４０が連通領域４６と拡張領域４７とに区画されるようになっている。
【００３６】
また、前記揺動区画部材５３は、前枠扉６の閉鎖状態で自重によって球導出樋部４０内に垂下する区画位置（図７（Ａ）参照）と、前枠扉６の開放時に後方向から当接する球導出樋部４０の側周壁４８によって前方に回動して、拡張領域４７に遊技球を流入させる非区画位置（図７（Ｂ）参照）とに変換されるようになっている。
【００３７】
また、前記揺動区画部材５３の軸部５５ａ，５５ｂは、図６に示すように、左側の軸部５５ａが右側の軸部５５ｂに比して所定の長さ分だけ長尺に形成されている。ここで、前枠扉６は左側の一側縁がヒンジ部材３０（図２参照）によって本体枠５に枢結されているため、該前枠扉６を開放すると、図６（Ｂ），（Ｃ）に示すように、その開放動作に伴って球導出樋部４０が右前方に次第に変位するため、上記のように左側の軸部５５ａを所定の長さ分だけ長尺とすることによって、前枠扉６の開放時に、揺動区画部材５３の主体部５４に球導出樋部４０の側周壁４８を後方向から当接させ得るようになっている。
【００３８】
また、揺動区画部材５３の主体部５４の後面側には、円弧状面取り部５７（図５参照）が形成されており、これによって、開放された前枠扉６を閉鎖する際に、球導出樋部４０の側周壁４８との当接によって後方に回動する揺動区画部材５３を速やかに側周壁４８から離脱させることを可能としている。
【００３９】
さらに、前記球導入流路５１の底壁５８の前縁には、揺動区画部材５３の主体部５４に対応する位置に該主体部５４の横幅と略一致する矩形状の切欠部５９（図４（Ｂ），図５参照）が形成されており、これによって、揺動区画部材５３の非区画位置への変換に伴って該揺動区画部材５３の前面で掬い上げられた遊技球（図７（Ｂ）参照）が底壁５８の前縁と干渉しないようにしている。
【００４０】
かかる構成にあって、前枠扉６の閉鎖状態においては、図５に示すように、球導出樋部４０が、該球導出樋部４０内に垂下する揺動区画部材５３によって、球送出口３４から送出された遊技球を捕捉して球導出口３３に案内する連通領域４６と、該連通領域４６の後方で遊技球の捕捉作用を生じない拡張領域４７とに区画された状態となっており、その連通領域４６を介して、本体枠５の球送出口３４と前枠扉６の球導出口３３とが連通されて、球送出口３４から送出された遊技球を上受皿１０に導出させることができる。
【００４１】
そして、このように上受皿１０に導出される遊技球で該上受皿１０が満杯となり、図６（Ａ），図７（Ａ）に示すように、導出しきれない遊技球が連通領域４６上に滞留している状態で前枠扉６が開放されると、その開放に伴って区画位置にある揺動区画部材５３が球導出樋部４０内において相対的に後方に移動するとともに、揺動区画部材５３に後方向から当接する球導出樋部４０の側周壁４８によって，図６（Ｂ），図７（Ｂ）に示すように、該揺動区画部材５３が押圧されて前方に回動することにより、該揺動区画部材５３が非区画位置に変換され、それまで揺動区画部材５３で堰き止められていた連通領域４６内の遊技球が拡張領域４７に流入する。これにより、連通領域４６上に積み重なって滞留していた遊技球のレベルが下がり、安定した滞留状態となることで、前枠扉６の開放時に、遊技球が機外にこぼれ落ちることを確実に防止することができる。
【００４２】
また、上記のように、前枠扉６の開放に伴って後方向から揺動区画部材５３に当接する球導出樋部４０の側周壁４８が、球送出口３４の下部位置を通過すると、該球導出樋部４０の側周壁４８との当接によって前方回動して非区画位置へ変換されていた揺動区画部材５３が、図７（Ｃ）に示すように垂下状態に復帰することとなるのであるが、この時、図６（Ｂ），図７（Ｂ）に示すように、揺動区画部材５３の非区画位置への変換に伴って該揺動区画部材５３の前面で遊技球が掬い上げられていた場合には、該遊技球が揺動区画部材５３の垂下状態への復帰に伴って前方に落下する。ここで、この揺動区画部材５３から落下した遊技球は、球送出口３４と開閉板４３間の下方領域に連通しているファール球流下路４４（図８参照）を介して下受皿１１に排出されることとなる。これにより、球導出樋部４０内の遊技球数を減少させることができ、これによっても、前枠扉６の開放時における機外への球こぼれを防止することができる。
【００４３】
また、球送出口３４の下部位置に、前後方向に沿って揺動可能に吊持されて、垂下状態で球導出樋部４０を連通領域４６と拡張領域４７とに区画する揺動区画部材５３を設けたので、該揺動区画部材５３によって球導出口３３の開口領域が狭められることがなく、これによって球導出口３３の十分な開口領域を確保することができる。
【００４４】
図９は第二実施例を示し、この第二実施例における揺動区画部材５３は、その前面に、非区画位置への変換に伴って前面で掬い上げた遊技球を側方に転動させて前記球導出樋部４０外に落下させる案内傾斜面６１が形成されている。ここで、該案内傾斜面６１は、図９（Ｂ）に示すように、揺動区画部材５３が前方回動して非区画位置へ変換された状態において、側方に下り勾配で傾斜する傾斜面として形成されている。
【００４５】
かかる構成にあっては、揺動区画部材５３の非区画位置（図６（Ｂ），図７（Ｂ）参照）への変換に伴って該揺動区画部材５３の前面で遊技球が掬い上げられた場合に、その遊技球を案内傾斜面６１によって側方に転動させて即座に球導出樋部４０の外側方へ落下させることができる。これにより、第一実施例のように、掬い上げられた遊技球を揺動区画部材５３の垂下状態への復帰に伴って前方に落下させる場合に比して、遊技球の落下タイミングが早くなるとともに、遊技球が球導出樋部４０に再び戻される虞がなく、掬い上げた遊技球を確実に球導出樋部４０外に排出させることができる。
【００４６】
このように、本発明によれば、前枠扉６の開放操作に伴って非区画位置に変換される揺動区画部材５３によって、連通領域４６内の遊技球を拡張領域４７に流入させて、連通領域４６上に積み重なって滞留している遊技球のレベルを下げるので、前枠扉６の開放時における球こぼれを確実に防止することができる。また、非区画位置への変換に伴って揺動区画部材５３が掬い上げた遊技球を球導出樋部４０外に排出するので、球導出樋部４０内の遊技球数が減少し、これによっても、前枠扉６の開放時における機外への球こぼれを防止することができる。
【００４７】
尚、上記実施例では、揺動区画部材５３を自重により垂下させるようにしているが、これに代えて、揺動区画部材５３が前後方向に回動すると弾発力を生じて揺動区画部材５３を垂下方向に付勢し、該揺動区画部材５３の垂下状態で弾発力が消失するバネを付装してもよい。これにより、前枠扉６の閉鎖時に、拡張領域４７に流入している遊技球を垂下方向に付勢される揺動区画部材５３によって連通領域４６へ押し出すことが可能となる。
【００４８】
また、上記実施例では、パチンコ遊技機に本発明を適用した場合について説明したが、パチンコ遊技機以外の遊技機であっても、遊技球を遊技媒体とし、該遊技球を前枠扉６に配設された上受皿１０に払い出す遊技機であれば本発明が適用可能である。
【図面の簡単な説明】
【００４９】
【図１】本発明にかかるパチンコ遊技機１の外観斜視図である。
【図２】同上のパチンコ遊技機１の前枠扉６を開放した状態を示す外観斜視図である。
【図３】裏機構板７の背面図である。
【図４】（Ａ）はケーシング部４２の一部切欠斜視図、（Ｂ）は揺動区画部材５３を分離して示すケーシング部４２の一部切欠斜視図である。
【図５】前枠扉６の閉鎖状態における要部の概略側断面図である。
【図６】（Ａ）は前枠扉６の閉鎖状態、（Ｂ）は前枠扉６を僅かに開いた状態、（Ｃ）は前枠扉６の開放状態における揺動区画部材５３と遊技球の状態を夫々示す概略平面図である。
【図７】（Ａ）は前枠扉６の閉鎖状態、（Ｂ）は前枠扉６を僅かに開いた状態、（Ｃ）は前枠扉６の開放状態における揺動区画部材５３と遊技球の状態を夫々示す概略側断面図である。
【図８】前枠扉６（図示せず）の閉鎖状態におけるパチンコ遊技機１の正面図である。
【図９】第二実施例にかかる揺動区画部材５３を示し、（Ａ）は外観斜視図、（Ｂ）は非区画位置に変換された状態における正面図である。
【図１０】（Ａ）は従来の球導出樋部ｅの構成を示す側断面図、（Ｂ）は前枠扉ｃの開放時に生じる球こぼれ状態を示す説明図である。
【符号の説明】
【００５０】
１  パチンコ遊技機（遊技機）
５  本体枠
６  前枠扉
１０  上受皿
３１  払出装置
３３  球導出口
３４  球送出口
４０  球導出樋部
４６  連通領域
４７  拡張領域
５３  揺動区画部材
６１  案内傾斜面
【図１】
2008006040.tif 000003
【図２】
2008006040.tif 000004
【図３】
2008006040.tif 000005
【図４】
2008006040.tif 000006
【図５】
2008006040.tif 000007
【図６】
2008006040.tif 000008
【図７】
2008006040.tif 000009
【図８】
2008006040.tif 000010
【図９】
2008006040.tif 000011
【図１０】
2008006040.tif 000012